(57)【要約】【課題】筐体の設計の自由度が低くなることを防止することが可能なインターロック機構を提供することを目的とする。【解決手段】導電線６−１、６−２に接続される接続端子７−１、７−２を備えるインターロック判定部材２と、接続端子９−１、９−２、１１−１、１１−２と、一方端が接続端子９−１に接続され他方端が接続端子１１−１に接続される導電線１３−１と、一方端が接続端子９−２に接続され他方端が接続端子１１−２に接続される導電線１３−２とを備えるインターロック判定部材３と、接続端子１４−１、１４−２と、接続端子１４−１、１４−２を互いに電気的に接続するための導電線１６とを備えるインターロック判定部材４と、導電線６−１、６−２に流れる電流に基づいて、カバー２１、２３が取り外されたことを判定するインターロック判定回路５とを備えてインターロック機構１を構成する。【選択図】図１
2008206316.tif 000002
【特許請求の範囲】
【請求項１】
ベースと、前記ベースに取り付け可能な第１のカバーと、前記第１のカバーに取り付け可能な第２のカバーとを備える筐体において、前記第１のカバーが前記ベースから取り外されたこと、または、前記第２のカバーが前記第１のカバーから取り外されたことを判定するインターロック機構であって、
インターロック判定回路と、
第１及び第２の導電線を有する第１のハーネスと、前記第１のハーネスの一端部に設けられ、且つ、前記第１及び第２の導電線にそれぞれ電気的に接続される第１及び第２の接続端子を有する第１のコネクタとを備えており、前記第１のハーネスの他端部が前記第１のカバーを介して前記インターロック判定回路に接続されている第１のインターロック判定部材と、
前記第１及び第２の接続端子にそれぞれ電気的に接続可能な第３及び第４の接続端子を有する第２のコネクタと、第５及び第６の接続端子を有する第３のコネクタと、一方端が前記第３の接続端子に電気的に接続され他方端が前記第５の接続端子に電気的に接続される第３の導電線及び一方端が前記第４の接続端子に電気的に接続され他方端が前記第６の接続端子に電気的に接続される第４の導電線を有する第２のハーネスとを備えており、前記第２のコネクタが前記ベースに取り付けられる第２のインターロック判定部材と、
前記第５及び第６の接続端子にそれぞれ電気的に接続可能な第７及び第８の接続端子を有する第４のコネクタと、前記第７及び第８の接続端子を互いに電気的に接続する第５の導電線とを備えており、前記第４のコネクタが前記第２のカバーに取り付けられる第３のインターロック判定部材と、
を備えており、
前記インターロック判定回路は、前記第１のインターロック判定部材と前記第２のインターロック判定部材と前記第３のインターロック判定部材とが電気的に接続されているか否かを判定する
ことを特徴とするインターロック機構。
【請求項２】
前記インターロック判定回路は、前記第１のインターロック判定部材における前記第１及び第２の導電線の間に電圧を印加した際に、前記第１または第２の導電線に電流が流れるか否かに基づいて、前記第１のカバーが前記ベースから取り外されたことまたは、前記第２のカバーが前記第１のカバーから取り外されたことを判定する、
請求項１に記載のインターロック機構。
【請求項３】
直流電源から出力される直流電圧を昇圧または降圧するＤＣ／ＤＣコンバータ、または、前記直流電源から出力される直流電圧を交流電圧に変換するＤＣ／ＡＣインバータが搭載されるベースと、前記ベースに取り付け可能であり前記ＤＣ／ＤＣコンバータまたは前記ＤＣ／ＡＣインバータが露出しないようにする第１のカバーと、前記第１のカバーに取り付け可能な第２のカバーとを備える筐体において、前記第１のカバーが前記ベースから取り外されたこと、または、前記第２のカバーが前記第１のカバーから取り外されたことを判定するインターロック機構であって、
インターロック判定回路と、
第１及び第２の導電線を有する第１のハーネスと、前記第１のハーネスの一端部に設けられ、且つ、前記第１及び第２の導電線にそれぞれ電気的に接続される第１及び第２の接続端子を有する第１のコネクタとを備えており、前記第１のハーネスの他端部が前記第１のカバーを介して前記インターロック判定回路に接続されている第１のインターロック判定部材と、
前記第１及び第２の接続端子にそれぞれ電気的に接続可能な第３及び第４の接続端子を有する第２のコネクタと、第５及び第６の接続端子を有する第３のコネクタと、一方端が前記第３の接続端子に電気的に接続され他方端が前記第５の接続端子に電気的に接続される第３の導電線及び一方端が前記第４の接続端子に電気的に接続され他方端が前記第６の接続端子に電気的に接続される第４の導電線を有する第２のハーネスとを備えており、前記第２のコネクタが前記ベースに取り付けられる第２のインターロック判定部材と、
前記第５及び第６の接続端子にそれぞれ電気的に接続可能な第７及び第８の接続端子を有する第４のコネクタと、前記第７及び第８の接続端子を互いに電気的に接続する第５の導電線とを備えており、前記第４のコネクタが前記第２のカバーに取り付けられる第３のインターロック判定部材と、
を備えており、
前記インターロック判定回路は、前記第１のインターロック判定部材における前記第１及び第２の導電線の間に電圧を印加した際に、前記第１または第２の導電線に電流が流れるか否かに基づいて、前記第１のカバーが前記ベースから取り外されたことまたは、前記第２のカバーが前記第１のカバーから取り外されたことを判定する、
ことを特徴とするインターロック機構。
【請求項４】
請求項１に記載のインターロック機構であって、
制御手段を備えており、
前記インターロック判定回路が、前記第１のカバーが前記ベースから取り外されたこと、または、前記第２のカバーが前記第１のカバーから取り外されたことを判定すると、前記制御手段が前記直流電源と前記ＤＣ／ＤＣコンバータまたは前記ＤＣ／ＡＣインバータとの間に設けられるリレー回路を動作させて、前記直流電源から前記ＤＣ／ＤＣコンバータまたは前記ＤＣ／ＡＣインバータへの電力供給を停止させる、
ことを特徴とするインターロック機構。
【発明の詳細な説明】
【技術分野】
【０００１】
本発明は、カバーが取り外されたか否かを判定するためのインターロック機構に関する。
【背景技術】
【０００２】
図５は、従来のインターロック機構を示す図である。
図５に示すインターロック機構５０は、電気機器５１が搭載されるベース５２に取り付けられるコネクタ５３と、電気機器５１を覆うカバー５４においてカバー５４がベース５２に取り付けられる際にコネクタ５３と嵌合される位置に取り付けられるコネクタ５５とを備えて構成されている。（例えば、特許文献１参照。）
例えば、上記インターロック機構５０では、ベース５２からカバー５４が取り外されて、コネクタ５３とコネクタ５５との電気的な接続がなくなると、不図示のインターロック判定回路がベース５２からカバー５４が取り外されたことを判定し、電気機器５１への電力供給を停止させる。
【０００３】
これにより、作業者がベース５２からカバー５４を取り外す作業を行うだけで、電気機器５１への電力供給を停止することができ作業者の安全性を確保することができる。
【特許文献１】特開平７−１５６５０９号
【発明の開示】
【発明が解決しようとする課題】
【０００４】
しかしながら、上記インターロック機構５０のように、単にコネクタ５３をベース５２に、コネクタ５５をカバー５４に取り付けるという構成であると、カバー５４にさらに他のカバーが取り付けられる筐体を使用する場合、カバー５４やその他のカバーにそれぞれ取り付けられるコネクタの取り付け場所が制限されるため、筐体の設計の自由度が低くなるという問題があった。
【０００５】
また、筐体内に収容された電気機器を、複数個接続して使用する場合には、それぞれの電気機器が収容される筐体にインターロック機構を設ける必要があり、インターロック機構が増加してしまうという問題があった。
【０００６】
そこで、本発明は、筐体の設計の自由度が低くなることを防止し、インターロック機構の増加を抑えることが可能なインターロック機構を提供することを目的とする。
【課題を解決するための手段】
【０００７】
上記の課題を解決するために本発明では、以下のような構成を採用した。
すなわち、本発明のインターロック機構は、ベースと、前記ベースに取り付け可能な第１のカバーと、前記第１のカバーに取り付け可能な第２のカバーとを備える筐体において、前記第１のカバーが前記ベースから取り外されたこと、または、前記第２のカバーが前記第１のカバーから取り外されたことを判定するインターロック機構である。インターロック機構は、インターロック判定回路と、第１及び第２の導電線を有する第１のハーネスと、前記第１のハーネスの一端部に設けられ、且つ、前記第１及び第２の導電線にそれぞれ電気的に接続される第１及び第２の接続端子を有する第１のコネクタとを備えており、前記第１のハーネスの他端部が前記第１のカバーを介して前記インターロック判定回路に接続されている第１のインターロック判定部材と、前記第１及び第２の接続端子にそれぞれ電気的に接続可能な第３及び第４の接続端子を有する第２のコネクタと、第５及び第６の接続端子を有する第３のコネクタと、一方端が前記第３の接続端子に電気的に接続され他方端が前記第５の接続端子に電気的に接続される第３の導電線及び一方端が前記第４の接続端子に電気的に接続され他方端が前記第６の接続端子に電気的に接続される第４の導電線を有する第２のハーネスとを備えており、前記第２のコネクタが前記ベースに取り付けられる第２のインターロック判定部材と、前記第５及び第６の接続端子にそれぞれ電気的に接続可能な第７及び第８の接続端子を有する第４のコネクタと、前記第７及び第８の接続端子を互いに電気的に接続する第５の導電線とを備えており、前記第４のコネクタが前記第２のカバーに取り付けられる第３のインターロック判定部材と、を備えている。前記インターロック判定回路は、前記第１のインターロック判定部材と前記第２のインターロック判定部材と前記第３のインターロック判定部材とが電気的に接続されているか否かを判定する。
【０００８】
ここで、『第１のハーネスの他端部が第１のカバーを介してインターロック判定回路に接続されている』とは、例えば、第１のハーネスが第１のカバーを貫通しており、その他端部でインターロック判定回路と接続されること等を示す。
【０００９】
これにより、第１及び第２のハーネスのそれぞれの長さを調整することにより、第２のコネクタをベースの任意の場所に取り付けられると共に第４のコネクタを第２のカバーの任意の場所に取り付けられるので、第１及び第２のカバーやベースからなる筐体の設計の自由度が低くなることを防止することができる。そして、１つのインターロック判定回路で複数箇所のカバーの取り外しを判定できるので、インターロック機構の増加を抑えることができる。
【００１０】
また、本発明のインターロック判定回路は、前記第１のインターロック判定部材における前記第１及び第２の導電線の間に電圧を印加した際に、前記第１または第２の導電線に電流が流れるか否かに基づいて、前記第１のカバーが前記ベースから取り外されたことまたは、前記第２のカバーが前記第１のカバーから取り外されたことを判定する。
【００１１】
なお、本発明のインターロック機構は、直流電源から出力される直流電圧を昇圧または降圧するＤＣ／ＤＣコンバータ、または、前記直流電源から出力される直流電圧を交流電圧に変換するＤＣ／ＡＣインバータが搭載されるベースと、前記ベースに取り付け可能であり前記ＤＣ／ＤＣコンバータまたは前記ＤＣ／ＡＣインバータが露出しないようにする第１のカバーと、前記第１のカバーに取り付け可能な第２のカバーとを備える筐体において、前記第１のカバーが前記ベースから取り外されたこと、または、前記第２のカバーが前記第１のカバーから取り外されたことを判定するインターロック機構である。インターロック機構は、インターロック判定回路と、第１及び第２の導電線を有する第１のハーネスと、前記第１のハーネスの一端部に設けられ、且つ、前記第１及び第２の導電線にそれぞれ電気的に接続される第１及び第２の接続端子を有する第１のコネクタとを備えており、前記第１のハーネスの他端部が前記第１のカバーを介して前記インターロック判定回路に接続されている第１のインターロック判定部材と、前記第１及び第２の接続端子にそれぞれ電気的に接続可能な第３及び第４の接続端子を有する第２のコネクタと、第５及び第６の接続端子を有する第３のコネクタと、一方端が前記第３の接続端子に電気的に接続され他方端が前記第５の接続端子に電気的に接続される第３の導電線及び一方端が前記第４の接続端子に電気的に接続され他方端が前記第６の接続端子に電気的に接続される第４の導電線を有する第２のハーネスとを備えており、前記第２のコネクタが前記ベースに取り付けられる第２のインターロック判定部材と、前記第５及び第６の接続端子にそれぞれ電気的に接続可能な第７及び第８の接続端子を有する第４のコネクタと、前記第７及び第８の接続端子を互いに電気的に接続する第５の導電線とを備えており、前記第４のコネクタが前記第２のカバーに取り付けられる第３のインターロック判定部材と、を備えている。前記インターロック判定回路は、前記第１のインターロック判定部材における前記第１及び第２の導電線の間に電圧を印加した際に、前記第１または第２の導電線に電流が流れるか否かに基づいて、前記第１のカバーが前記ベースから取り外されたことまたは、前記第２のカバーが前記第１のカバーから取り外されたことを判定する。
【００１２】
ここで、『第１のハーネスの他端部が第１のカバーを介してインターロック判定回路に接続されている』とは、例えば、第１のハーネスが第１のカバーを貫通しており、その他端部でインターロック判定回路と接続されること等を示す。
【００１３】
これにより、ＤＣ／ＤＣコンバータまたはＤＣ／ＡＣインバータ等の高電圧機器を備える電源システムにおいて、第１及び第２のカバーやベースからなる筐体の設計の自由度が低くなることを防止することができる。そして、１つのインターロック判定回路で複数箇所のカバーの取り外しを判定できるので、インターロック機構の増加を抑えることができる。
【００１４】
また、上記インターロック機構は、制御手段を備えており、前記インターロック判定回路が、前記第１のカバーが前記ベースから取り外されたこと、または、前記第２のカバーが前記第１のカバーから取り外されたことを判定すると、前記制御手段が前記直流電源と前記ＤＣ／ＤＣコンバータまたは前記ＤＣ／ＡＣインバータとの間に設けられるリレー回路を動作させて、前記直流電源から前記ＤＣ／ＤＣコンバータまたは前記ＤＣ／ＡＣインバータへの電力供給を停止させるように構成してもよい。
【発明の効果】
【００１５】
本発明によれば、ベースからカバーが取り外されたか否かを判定するためのインターロック機構において、ベース及びカバーからなる筐体の設計の自由度が低くなることを防止することができる。また、本発明によれば、複数箇所でカバーが取り外されたか否かを判定する場合に、インターロック機構が増加することを抑えることができる。
【発明を実施するための最良の形態】
【００１６】
以下、図面を用いて本発明の実施形態を説明する。
図１（ａ）は、本発明の実施形態のインターロック機構を示す図である。
図１（ａ）に示すインターロック機構１は、インターロック判定部材２（第１のインターロック判定部材）と、インターロック判定部材３（第２のインターロック判定部材）と、インターロック判定部材４（第３のインターロック判定部材）と、インターロック判定回路５とを備えて構成されている。
【００１７】
上記インターロック判定部材２は、導電線（配線）６−１（第１の導電線）及び導電線６−２（第２の導電線）を有する第１のハーネス６と、導電線６−１及び導電線６−２にそれぞれ電気的に接続される接続端子７−１（第１の接続端子）及び接続端子７−２（第２の接続端子）を備えるコネクタ８（第１のコネクタ）と、を備えるように構成されている。
【００１８】
上記インターロック判定部材３は、接続端子９−１（第３の接続端子）及び接続端子９−２（第４の接続端子）を備えるコネクタ１０（第２のコネクタ）と、接続端子１１−１（第５の接続端子）及び接続端子１１−２（第６の接続端子）を備えるコネクタ１２（第３のコネクタ）と、一方端が接続端子９−１に電気的に接続されると共に他方端が接続端子１１−１に電気的に接続される導電線１３−１（第３の導電線）及び一方端が接続端子９−２に電気的に接続されると共に他方端が接続端子１１−２に電気的に接続される導電線１３−２（第４の導電線）を有する第２のハーネス１３と、を備えるように構成されている。
【００１９】
上記インターロック判定部材４は、接続端子１４−１（第７の接続端子）及び接続端子１４−２（第８の接続端子）を備えるコネクタ１５（第４のコネクタ）と、接続端子１４−１、１４−２を互いに電気的に接続するための導電線１６（第５の導電線）と、を備えるように構成されている。
【００２０】
図１（ｂ）は、インターロック判定部材２〜４が互いに接続されている状態を示す図である。
図１（ｂ）に示すように、インターロック判定部材２、３を互いに接続する場合は、コネクタ８をコネクタ１０と嵌合させる。また、インターロック判定部材３、４を互いに接続する場合は、コネクタ１２をコネクタ１５と嵌合させる。
【００２１】
このように、コネクタ８がコネクタ１０と嵌合することにより、接続端子７−１、９−１が互いに電気的に接続されると共に接続端子７−２、９−２が互いに電気的に接続される。また、コネクタ１２がコネクタ１５と嵌合することにより、接続端子１１−１、１４−１が互いに電気的に接続されると共に接続端子１１−２、１４−２が互いに電気的に接続される。これにより、導電線６−１、６−２、１３−１、１３−２、１６が互いに電気的に接続され１本の電流経路が形成される。
【００２２】
そのため、インターロック判定部材２、３及びインターロック判定部材３、４がそれぞれ互いに接続されている場合、導電線６−１、６−２間に電圧を印加すると、導電線６−１、６−２に所定の電流が流れる。また、インターロック判定部材２、３またはインターロック判定部材３、４が互いに接続されていない場合、導電線６−１、６−２間に電圧を印加しても、導電線６−１、６−２には電流が流れない。
【００２３】
上記インターロック判定回路５は、導電線６−１、６−２間に電圧を印加して、導電線６−１または導電線６−２に所定の電流が流れているか否かを検出する。インターロック判定部材２〜４が互いに接続されている場合、インターロック判定回路５は導電線６−１または導電線６−２に所定の電流が流れていることを検出することができる。一方、インターロック判定部材２、３またはインターロック判定部材３、４が互いに接続されていない場合、インターロック判定回路５は導電線６−１または導電線６−２に所定の電流が流れていないことを検出することができる。
【００２４】
図２は、インターロック機構１が筐体に取り付けられた状態の一例を示す図である。なお、図２において、図１に示す構成と同じ構成には同じ符号を付している。
図２に示す例では、電気機器が搭載されるベース２０にインターロック判定部材３のコネクタ１０が取り付けられ、電気機器を覆うカバー２１（第１のカバー）においてその電気機器と電気機器に電力供給を行うための配線２２との接続部を覆うカバー２３（第２のカバー）にインターロック判定部材４のコネクタ１５が取り付けられている。そして、インターロック判定部材２のハーネスは、カバー２１を貫通するように構成されている。
【００２５】
図２に示す筐体において、ベース２０からカバー２１、２３を取り外す場合は、まず、コネクタ１５からコネクタ１２を取り外した後、カバー２１からカバー２３を取り外す。次に、コネクタ１０からコネクタ８を取り外した後、ベース２０からカバー２１を取り外す。これら各コネクタ及びハーネスは、カバーの取り外しを規制する役割を有している。即ち、コネクタ１５とコネクタ１２とが接続されている場合、インターロック判定部材３及び４は、カバー２３がカバー２１から取り外されること及びカバー２１がベース２０から取り外されることを規制している。同様に、コネクタ８とコネクタ１０とが接続されている場合、インターロック判定部材２及び３は、カバー２１がベース２０から取り外されることを規制している。
【００２６】
このように、本実施形態のインターロック機構１をベース２０及びカバー２１、２３を備える筐体に取り付けることにより、インターロック判定回路５は、導電線６−１または導電線６−２に所定の電流が流れていないことを検出した場合、ベース２０からカバー２１が取り外されている、または、カバー２１からカバー２３が取り外されていると判定することができる。そして、インターロック判定回路５が、ベース２０からカバー２１が取り外されている、または、カバー２１からカバー２３が取り外されていると判定すると、制御手段がベース２０に設けられた電気機器への電力供給を停止させる。
【００２７】
本実施形態のインターロック機構１によれば、ハーネス６、１３のそれぞれの長さを調整することにより、コネクタ１０をベース２０の任意の場所に取り付けられると共にコネクタ１５をカバー２３の任意の場所に取り付けられるので、カバー２１、２３やベース２０からなる筐体の設計の自由度が低くなることを防止することができる。また、１つのインターロック判定回路５で、複数箇所のカバーの取り外し状態を検出できるので、インターロック機構の増加を抑えることができる。
【００２８】
図３は、コネクタ１２、１５の一例を示す図である。なお、図３において図１に示す構成と同じ構成には同じ符号を付している。
図３に示すように、コネクタ１５は筒状の凹部３０を備えている。また、コネクタ１２は、凹部３０に挿入可能な形状の凸部３１を備えている。
【００２９】
また、凹部３０の４つの側面のうちの１つの側面が開口しており、その開口部において凹部３０の長手方向に対して垂直方向に懸架するように板状のバー部材３２が設けられている。
【００３０】
また、凸部３１の一側面には略Ｌ字型の爪部材３３が設けられ、その爪部材３３の中央付近には突起部３４が設けられている。爪部材３３の一方端は凸部３１の先端部に繋がっており、その繋がり部分を支点にして爪部材３３の他方端が揺動するようになっている。爪部材３３が凹部３０の一側面の開口部を通るように凸部３１が凹部３０の内部へ挿入されると、突起部３４はバー部材３２の下を潜った後バー部材３２に隣接する。
【００３１】
これにより、凹部３０から凸部３１が引き抜かれる方向に凸部３１に対して力が加わっても、突起部３４がバー部材３２に引っかかるため凸部３１を凹部３０から抜け難くすることができる。
【００３２】
なお、凹部３０から凸部３１を引き抜く場合は、突起部３４がバー部材３２に引っかからないように、凸部３１に繋がっていない方の爪部材３３の端部を押し下げながら凹部３０から凸部３１を引き抜く。
【００３３】
また、コネクタ８をコネクタ１２と同じ形状にしてもよい。
また、コネクタ１０をコネクタ１５と同じ形状にしてもよい。この場合、導電線１６の代わりに導電線１３−１、１３−２を設けるようにする。
【００３４】
図４は、本実施形態のインターロック機構を採用した電源システムの一例を示す図である。なお、図４において、図１または図２に示す構成と同じ構成には同じ符号を付している。
【００３５】
図４に示す電源システム４０は、バッテリ４１（直流電源）と、ＤＣ／ＤＣコンバータ４２と、ＤＣ／ＡＣインバータ４３と、制御手段としてのＥＣＵ（Ｅｌｅｃｔｒｏｎｉｃ  Ｃｏｎｔｒｏｌ  Ｕｎｉｔ）４４と、リレー４５とを備えて構成されている。
【００３６】
上記ＤＣ／ＤＣコンバータ４２は、バッテリ４１から出力される直流電圧を昇圧または降圧する。また、ＤＣ／ＤＣコンバータ４２はベース２０に搭載されており、カバー２１により覆われて、外部に露出することを防いでいる。
【００３７】
上記ＤＣ／ＡＣインバータ４３は、バッテリ４１から出力される直流電圧を交流電圧に変換する。また、ＤＣ／ＡＣインバータ４３もベース２０に搭載されており、カバー２１により覆われて、外部に露出することを防いでいる。
【００３８】
上記ＥＣＵ４４は、インターロック判定回路５を備え、インターロック判定回路５がＤＣ／ＤＣコンバータ４２側のカバー２１やカバー２３またはＤＣ／ＡＣインバータ４３側のカバー２１やカバー２３が取り外されたことを判定すると、ＥＣＵ４４がリレー４５を動作させてバッテリ４１からＤＣ／ＤＣコンバータ４２及びＤＣ／ＡＣインバータ４３への電力供給を停止させる。つまり、ＥＣＵ４４は、カバー２１またはカバー２３が取り外された状態では、ＤＣ／ＤＣコンバータ４２及びＤＣ／ＡＣインバータ４３が駆動しないように制御しているのである。
【００３９】
このように、本実施形態のインターロック機構１を電源システム４０に採用することにより、その電源システム４０を取り扱う作業者の安全性を確保しつつ、カバー２１、２３やベース２０からなる筐体の設計の自由度を上げることができる。
【００４０】
なお、図４に示す電源システム４０では、ＤＣ／ＤＣコンバータ４２側の筐体とＤＣ／ＡＣインバータ４３側の筐体にそれぞれインターロック機構１を取り付ける構成であるが、中継用のインターロック判定部材３を一方の筐体に取り付け、さらに、他方の筐体のカバー２１、２３にそれぞれインターロック判定部材３、４を取り付けて、全体として１つのインターロック機構１となるように構成してもよい。
【００４１】
また、上記電源システム４０は、ＤＣ／ＤＣコンバータ４２のみ、または、ＤＣ／ＡＣインバータ４３のみ備える構成としてもよい。
また、電気機器を収容した筐体２つを接続して１つのインターロック機構を構成することに限らず、電気機器を収容した筐体を３つ以上接続して１つのインターロック機構を構成するとしてもよい。
【図面の簡単な説明】
【００４２】
【図１】本発明の実施形態のインターロック機構を示す図である。
【図２】インターロック機構が筐体に取り付けられた状態を示す図である。
【図３】インターロック判定部材の一例を示す図である。
【図４】本実施形態のインターロック機構を採用した電源システムの一例を示す図である。
【図５】従来のインターロック機構を示す図である。
【符号の説明】
【００４３】
１  インターロック機構
２〜４  インターロック判定部材
５  インターロック判定回路
６  ハーネス
６−１  導電線
６−２  導電線
７−１  接続端子
７−２  接続端子
８  コネクタ
９−１  接続端子
９−２  接続端子
１０  コネクタ
１１−１  接続端子
１１−２  接続端子
１２  コネクタ
１３  ハーネス
１３−１  導電線
１３−２  導電線
１４−１  接続端子
１４−２  接続端子
１５  コネクタ
１６  導電線
２０  ベース
２１  カバー
２２  配線
２３  カバー
３０  凹部
３１  凸部
３２  バー部材
３３  爪部材
３４  突起部
４０  電源システム
４１  バッテリ
４２  ＤＣ／ＤＣコンバータ
４３  ＤＣ／ＡＣインバータ
４４  ＥＣＵ
４５  リレー
【図１】
2008206316.tif 000003
【図２】
2008206316.tif 000004
【図３】
2008206316.tif 000005
【図４】
2008206316.tif 000006
【図５】
2008206316.tif 000007